(57)【要約】 【課題】  検知の精度を高め、使用範囲を拡張し、周辺家電の付加的なリンクによる制御によって各項ニーズを満足させるスマートタイプのホームセキュリティ装置を提供する。【解決手段】  データ処理を行なうメイン制御ボードを内設し、かつ該メイン制御ボードがターゲットの認証に供する撮像モジュールに電気的に接続するセキュリティ装置と、該セキュリティ装置に内設され、かつ該メイン制御ボードに電気的に接続するとともに、複数の家電にリンクする通信モジュールと、該セキュリティ装置に内設され、かつ該メイン制御ボードに電気的に接続する検知モジュールと、該メイン制御ボードに電気的に接続して表示を行なう表示モジュールと、を具え、該検知モジュールが、マイクロ波をターゲットに放射して該ターゲットの血圧データを得るマイクロ波測定モジュールと、マイクロ波をターゲットに放射して該ターゲットの生理的シグナルを導出する生体認識モジュールと、家庭内の給水設備に取り付けて固定し水質検知データを得る水質検知モジュールと、を具える。【選択図】  図１
2019531566.tif 000002
【特許請求の範囲】
【請求項１】
データ処理を行なうメイン制御ボードを内設し、かつ該メイン制御ボードがターゲットの認証に供する撮像モジュールに電気的に接続するセキュリティ装置と、
該セキュリティ装置に内設され、かつ該メイン制御ボードに電気的に接続するとともに、複数の家電にリンクする通信モジュールと、
該セキュリティ装置に内設され、かつ該メイン制御ボードに電気的に接続する検知モジュールと、
該メイン制御ボードに電気的に接続して表示を行なう表示モジュールと、を具え、
該検知モジュールが、マイクロ波をターゲットに放射して該ターゲットの血圧データを得るマイクロ波測定モジュールと、マイクロ波をターゲットに放射して該ターゲットの生理的シグナルを導出する生体認識モジュールと、家庭内の給水設備に取り付けて固定し水質検知データを得る水質検知モジュールと、を具え、
該セキュリティ装置が該検知モジュールを介してターゲットの遠隔監視を行ない、該メイン制御ボードが該検知モジュールの得た該ターゲットの詳細なデータを構築し、かつ該メイン制御ボードが該通信モジュールのリンクを介して異なるターゲットにそれぞれ対応する処理のコマンドを伝送する
ことを特徴とするスマートタイプのホームセキュリティ装置。
【請求項２】
前記通信モジュールが、該セキュリティ装置に内設されて該メイン制御ボードからのコマンドを直接受信し、各家電に伝送する赤外線制御モジュールと、
該セキュリティ装置に内設され、かつターゲットの音声を受信してコマンドに変換し、該メイン制御ボード及び該赤外線制御モジュールに伝送する音声識別モジュールと、
該セキュリティ装置に内設され、かつ該メイン制御ボードのコマンドを送受信して家電を作動させる無線制御モジュールと、を含む
ことを特徴とする請求項１に記載のスマートタイプのホームセキュリティ装置。
【請求項３】
前記生体認識モジュールが得るターゲットの生理的シグナルが、動悸か、心拍か、呼吸か、脈拍の内の任意の一か、もしくは複数であって、かつ得られた該生理的シグナルを該メイン制御ボードに伝送する
ことを特徴とする請求項１に記載のスマートタイプのホームセキュリティ装置。
【請求項４】
前記マイクロ波測定モジュールが得る生理的シグナルに血圧を含み、かつ得られた該生理的シグナルを該メイン制御ボードに伝送する
ことを特徴とする請求項１に記載のスマートタイプのホームセキュリティ装置。
【請求項５】
前記撮像モジュールと該検知モジュールとが、選択的に少なくとも１つか、或いは１つ以上数を増減させて設ける
ことを特徴とする請求項１に記載のスマートタイプのホームセキュリティ装置。
【請求項６】
記表示モジュールが、ターゲット血圧表示ランプと、ターゲット生理的シグナル表示ランプと、水質表示ランプと、湿度表示ランプと、煙霧気体表示ランプと、空気品質表示ランプと、ターゲット体温表示ランプと、ＩＰ設定表示ランプとを具え、かつこれら表示ランプをいずれも該セキュリティ装置に内設するとともに、該検知モジュールに電気的に接続してランプの点灯による表示に供する
ことを特徴とする請求項１に記載のスマートタイプのホームセキュリティ装置。
【請求項７】
前記検知モジュールが、温湿度検知モジュールと、煙霧検知モジュールと、気体検知モジュールと、空気検知モジュールと、体温検知モジュールとをさらに含み、これらモジュールがいずれも該セキュリティ装置に内設され、かつ該メイン制御ボードに電気的に接続して対応する機能による検知に供するとともに、これら各種検知モジュールを設ける数を増減させる
ことを特徴とする請求項１に記載のスマートタイプのホームセキュリティ装置。
【請求項８】
前記セキュリティ装置が、該セキュリティ装置内に配設され、かつ該メイン制御ボードに電気的に接続して起動する複数のＬＥＤランプを含む
ことを特徴とする請求項１に記載のスマートタイプのホームセキュリティ装置。
【請求項９】
前記メイン制御ボードと該赤外線制御モジュールとが、選択的に少なくとも１つか、或いは１つ以上数を増減させて設ける
ことを特徴とする請求項２に記載のスマートタイプのホームセキュリティ装置。
【請求項１０】
データ処理を行なうメイン制御ボードを内設し、かつ該メイン制御ボードがターゲットの認証に供する撮像モジュールに電気的に接続するセキュリティ装置と、
該セキュリティ装置に内設され、かつ該メイン制御ボードに電気的に接続するとともに、マイクロ波をターゲットに放射して該ターゲットの血圧データを得るマイクロ波測定モジュールと、マイクロ波をターゲットに放射して該ターゲットの生理的シグナルを導出する生体認識モジュールと、家庭内の給水設備に取り付けて固定し水質検知データを得る水質検知モジュールと、を含む検知モジュールと、
該メイン制御ボードに電気的に接続して表示を行なう表示モジュールと、
該セキュリティ装置に内設され、かつ該メイン制御ボードに電気的に接続するとともに、該セキュリティ装置に内設されて該メイン制御ボードから伝送されるコマンドを直接受信して各家電に伝送する赤外線制御モジュールと、該セキュリティ装置に内設されてターゲットの音声を受信し、コマンドに変換して該メイン制御ボード及び該赤外線制御モジュールに伝送する音声識別モジュールと、を具える通信モジュールと、
該セキュリティ装置に内設され、かつ該メイン制御ボードから受信したコマンドを伝送して家電を作動させる無線制御モジュールと、を含んでなり、
該セキュリティ装置が該検知モジュールを介してターゲットの遠隔監視を行ない、該メイン制御ボードが該検知モジュールの得た該ターゲットの詳細なデータを構築し、かつ該メイン制御ボードが該通信モジュールを介して死角のない周辺家電とのリンクを構成し、異なるターゲットにそれぞれ対応する処理のコマンドを伝送する
ことを特徴とするスマートタイプのホームセキュリティ装置。
【請求項１１】
前記検知モジュールが、温湿度検知モジュールと、煙霧検知モジュールと、気体検知モジュールと、空気検知モジュールと、体温検知モジュールとをさらに含み、これらモジュールがいずれも該セキュリティ装置に内設され、かつ該メイン制御ボードに電気的に接続して対応する機能による検知に供するとともに、これら各種検知モジュールを設ける数を増減させる
ことを特徴とする請求項１０に記載のスマートタイプのホームセキュリティ装置。
【請求項１２】
前記撮像モジュールと該検知モジュールとが、選択的に少なくとも１つか、或いは１つ以上数を増減させて設ける
ことを特徴とする請求項１０に記載のスマートタイプのホームセキュリティ装置。
【請求項１３】
前記表示モジュールが、ターゲット血圧表示ランプと、ターゲット生理的シグナル表示ランプと、水質表示ランプと、湿度表示ランプと、煙霧気体表示ランプと、空気品質表示ランプと、ターゲット体温表示ランプと、ＩＰ設定表示ランプとを具え、かつこれら表示ランプをいずれも該セキュリティ装置に内設するとともに、該検知モジュールに電気的に接続してランプの点灯による表示に供する
ことを特徴とする請求項１０に記載のスマートタイプのホームセキュリティ装置。
【請求項１４】
前記メイン制御ボードと該赤外線制御モジュールとが、選択的に少なくとも１つか、或いは１つ以上数を増減させて設ける
ことを特徴とする請求項１０に記載のスマートタイプのホームセキュリティ装置。
【発明の詳細な説明】
【技術分野】
【０００１】
この発明は、セキュリティ装置に関し、特に、家庭の室内環境の各ターゲットに対して検知モジュールを介して検知を行なう際のデータの正確性を高め、かつ通信モジュールによって室内環境における各種家電にリンクすることで、各ターゲットに対する自動的なリンクと応用を行なうマルチプルな機能を具えたスマートタイプのホームセキュリティ装置に関する。
【背景技術】
【０００２】
現代の科学技術は、ますます進歩を遂げている。家庭内においてもスマートタイプの家電が普及している。但し、通常家電製品は、メーカーが異なると、使用するコントローラ、もしくは制御方法も異なる。また、機能が複雑すぎる家電は、幼児、又は年長者にとって決して使いやすいものではなく、ファンクションの押し間違いといった状況が常に発生する。
【０００３】
また、身体に装着するタイプのウェアラブルデバイスも普及していて、現代人に受け入れられている。但し、係るタイプの装置を装着することに年長者は不慣れであって、誰も見ていないときに自分で外してしまうこともよくある。このため、身体の状況に対する監視の正確性に対して、ある程度の影響が容易に発生する。したがって、市販される家庭用の介護用品は、その多くが強制的に装着する必要のない監視装置のタイプになりつつあるが、検知の精度、及び検知の項目については、さほど正確とは言えない。
【０００４】
このため、これら製品を市場に出している多くの業者は、検知の精度を高め、かつ適切な検知の項目を具えさせるべく改良に取り組んでいる。係る取り組みは、主に異なる材質の部品を用いるか、又はデータの分析による改良を以てグレードアップさせようとするものである。但し、製造コストの増加を招き、相対的に販売価格も少なからず高くなっている。而も、機能が充実し、精度が向上しても、操作性の点においてさらに複雑な操作となり、分かりづらいものとなり、分厚い取扱い説明書を根気良く丁寧に読まなければならなくなっている。よって、総体的に言えば、機能が複雑になりすぎ、販売価格も高く、一般のユーザーにとって便利とは決して言えないものである。
【０００５】
そこで、前記の監視機能に基づき、これに目下常用されているリモートコントロール技術をリンクさせた構造の商品が市販されるようになり、周辺の家電を制御と組み合わせて、ユーザーが対応する制御を行なうことができるようになった。このため、家庭における生活の環境がより楽に、便利になった。然しながら、関連する家電製品と接続する場合、該家電製品は無線装置を内蔵していなければならない。又はリモートコントローラを具えていなければならないが、古いタイプの家電のいずれもが係る機能を具えているとは限らない。よって、実際に応用する場合、その効果は依然として制限を受ける。
【発明の概要】
【発明が解決しようとする課題】
【０００６】
この発明は、上述する従来の技術に見られる欠点を改善するものであって、即ち、検知の精度を高め、使用範囲を拡張し、周辺家電の付加的なリンクによる制御によって各項ニーズを満足させるスマートタイプのホームセキュリティ装置を提供することを課題とする。
【課題を解決するための手段】
【０００７】
上述する課題を解決するために、この発明によるスマートタイプのホームセキュリティ装置は、家庭用の照明器具に設けられるとともに、データ処理を行なうメイン制御ボードを内設し、かつ該メイン制御ボードがターゲットの認証に供する撮像モジュールに電気的に接続するセキュリティ装置と、該セキュリティ装置に内設され、かつ該メイン制御ボードに電気的に接続するとともに、複数の家電にリンクする通信モジュールと、該セキュリティ装置に内設され、かつ該メイン制御ボードに電気的に接続するとともに、マイクロ波をターゲットに放射して該ターゲットの血圧データを得るマイクロ波測定モジュールと、マイクロ波をターゲットに放射して該ターゲットの生理的シグナルを導出する生体認識モジュールと、家庭内の給水設備に取り付けて固定し水質検知データを得る水質検知モジュールと、を具える検知モジュールと、該メイン制御ボードに電気的に接続して表示を行なう表示モジュールと、を具え、該セキュリティ装置が該検知モジュールを介してターゲットの遠隔監視を行ない、該メイン制御ボードが該検知モジュールの得た該ターゲットの詳細なデータを構築し、かつ該メイン制御ボードが該通信モジュールのリンクを介して異なるターゲットにそれぞれ対応する処理のコマンドを伝送する。
【０００８】
前記通信モジュールは、該セキュリティ装置に内設されて該メイン制御ボードからのコマンドを直接受信し、各家電に伝送する赤外線制御モジュールと、該セキュリティ装置に内設され、かつターゲットの音声を受信してコマンドに変換し、該メイン制御ボード及び該赤外線制御モジュールに伝送する音声識別モジュールと、該セキュリティ装置に内設され、かつ該メイン制御ボードのコマンドを送受信して家電を作動させる無線制御モジュールと、を優先的に含む。
【０００９】
前記生体認識モジュールが得るターゲットの生理的シグナルは、優先的に動悸か、心拍か、呼吸か、脈拍の内の任意の一か、もしくは複数であって、かつ得られた該生理的シグナルを該メイン制御ボードに伝送する。  
【００１０】
前記撮像モジュールと該検知モジュールとは、選択的に少なくとも１つか、或いは１つ以上数を増減させて設けることを優先する。
【００１１】
前記表示モジュールが、ターゲット血圧表示ランプと、ターゲット生理的シグナル表示ランプと、水質表示ランプと、湿度表示ランプと、煙霧気体表示ランプと、空気品質表示ランプと、ターゲット体温表示ランプと、ＩＰ設定表示ランプとを優先的に含み、かつこれら表示ランプをいずれも該セキュリティ装置に内設するとともに、該検知モジュールに電気的に接続してランプの点灯による表示に供する。
【００１２】
前記検知モジュールが、温湿度検知モジュールと、煙霧検知モジュールと、気体検知モジュールと、空気検知モジュールと、体温検知モジュールとを優先的に含み、これらモジュールがいずれも該セキュリティ装置に内設され、かつ該メイン制御ボードに電気的に接続して対応する機能による検知に供するとともに、これら各種検知モジュールを設ける数を増減させる。
【００１３】
前記セキュリティ装置が、該セキュリティ装置内に配設され、かつ該メイン制御ボードに電気的に接続して起動する複数のＬＥＤランプを優先的に含む。
【００１４】
前記メイン制御ボードと該赤外線制御モジュールとは、選択的に少なくとも１つか、或いは１つ以上数を増減させて設けることを優先する。
【００１５】
また、この発明によるスマートタイプのホームセキュリティ装置は、データ処理を行なうメイン制御ボードを内設し、かつ該メイン制御ボードがターゲットの認証に供する撮像モジュールに電気的に接続するセキュリティ装置と、
該セキュリティ装置に内設され、かつ該メイン制御ボードに電気的に接続するとともに、マイクロ波をターゲットに放射して該ターゲットの血圧データを得るマイクロ波測定モジュールと、マイクロ波をターゲットに放射して該ターゲットの生理的シグナルを導出する生体認識モジュールと、家庭内の給水設備に取り付けて固定し水質検知データを得る水質検知モジュールと、を含む検知モジュールと、
該メイン制御ボードに電気的に接続して表示を行なう表示モジュールと、
該セキュリティ装置に内設され、かつ該メイン制御ボードに電気的に接続するとともに、該セキュリティ装置に内設されて該メイン制御ボードから伝送されるコマンドを直接受信して各家電に伝送する赤外線制御モジュールと、該セキュリティ装置に内設されてターゲットの音声を受信し、コマンドに変換して該メイン制御ボード及び該赤外線制御モジュールに伝送する音声識別モジュールと、を具える通信モジュールと、
該セキュリティ装置に内設され、かつ該メイン制御ボードから受信したコマンドを伝送して家電を作動させる無線制御モジュールと、を含んでなり、
該セキュリティ装置が該検知モジュールを介してターゲットの遠隔監視を行ない、該メイン制御ボードが該検知モジュールの得た該ターゲットの詳細なデータを構築し、かつ該メイン制御ボードが該通信モジュールを介して死角のない周辺家電とのリンクを構成し、異なるターゲットにそれぞれ対応する処理のコマンドを伝送する。
【００１６】
前記検知モジュールは、温湿度検知モジュールと、煙霧検知モジュールと、気体検知モジュールと、空気検知モジュールと、体温検知モジュールとを優先的に含み、これらモジュールがいずれも該セキュリティ装置に内設され、かつ該メイン制御ボードに電気的に接続して対応する機能による検知に供するとともに、これら各種検知モジュールを設ける数を増減させる。
【００１７】
前記撮像モジュールと該検知モジュールとは、選択的に少なくとも１つか、或いは１つ以上数を増減させて設けることを優先する。
【００１８】
前記表示モジュールが、ターゲット血圧表示ランプと、ターゲット生理的シグナル表示ランプと、水質表示ランプと、湿度表示ランプと、煙霧気体表示ランプと、空気品質表示ランプと、ターゲット体温表示ランプと、ＩＰ設定表示ランプとを優先的に具え、かつこれら表示ランプをいずれも該セキュリティ装置に内設するとともに、該検知モジュールに電気的に接続してランプの点灯による表示に供する。
【００１９】
前記メイン制御ボードと該赤外線制御モジュールとは、選択的に少なくとも１つか、或いは１つ以上数を増減させて設けることを優先する。
【発明の効果】
【００２０】
この発明によるスマートタイプのホームセキュリティ装置は、一般家庭での使用に適し、かつセキュリティ装置は、一端に各種異なる機能のモジュールを容易に取り付けることができるよう製造され、製品を製造過程において柔軟に調整することができ、後続の機能の更新、又は強化の実施ができるようにするとともに、外観の整体性を保有し、実際に応用する場合には、好ましい利便性が得られる。
【００２１】
さらに一歩進んで、本発明人は、かつて照明器具と組み合わせたホームセキュリティシステムを開発しているが、同類の製品のユーザーの経験を集め、ユーザーのニーズを深く理解した。
【００２２】
さらに一歩進んで、この発明によるスマートタイプのホームセキュリティ装置は、家庭用の照明器具に設けられるとともに、データ処理を行なうメイン制御ボードを内設し、かつ該メイン制御ボードがターゲットの認証に供する撮像モジュールに電気的に接続するセキュリティ装置と、該セキュリティ装置に内設され、かつ該メイン制御ボードに電気的に接続するとともに、複数の家電にリンクする通信モジュールと、該セキュリティ装置に内設され、かつ該メイン制御ボードに電気的に接続するとともに、マイクロ波をターゲットに放射して該ターゲットの血圧データを得るマイクロ波測定モジュールと、マイクロ波をターゲットに放射して該ターゲットの生理的シグナルを導出する生体認識モジュールと、家庭内の給水設備に取り付けて固定し水質検知データを得る水質検知モジュールと、を具える検知モジュールと、該メイン制御ボードに電気的に接続して表示を行なう表示モジュールと、を具え、該セキュリティ装置が該検知モジュールを介してターゲットの遠隔監視を行ない、該メイン制御ボードが該検知モジュールの得た該ターゲットの詳細なデータを構築し、かつ該メイン制御ボードが該通信モジュールのリンクを介して異なるターゲットにそれぞれ対応する処理のコマンドを伝送する。
【００２３】
さらに一歩進んで、この発明はマイクロ波測定機能、生体認識機能、及び水質検知機能を具えるべく設計された新たなモジュールを以ってターゲットに対し検知を行ない、得られるデータの正確性を効率よく高めるものであり、介護を必要とする年長者、或いは幼児のいる一般家庭にとっては、さらに実用性のあるものといえる。また、通信モジュールを介して、ボイスコントロールでリンクする周辺家電の制御を容易に行うことができ、家電設備の型の新旧の制限を受けることがなく、ホームにおけるスマートセキュリティを達成することができ、更なる利便性が得られる。
【図面の簡単な説明】
【００２４】
【図１】この発明によるホームセキュリティ装置の外観を示した斜視図と一部を拡大した説明図である。
【図２】図１に開示するホームセキュリティ装置の断面構造を示した説明図である。
【図３】図２に開示するＢの部分を拡大してＢ´として標示した説明図である。
【図４】図２に開示するＣの部分を拡大してＣ´として標示した説明図である。
【図５】この発明によるセキュリティ装置の構造を示したブロック図である。
【図６】第２の実施の形態によるホームセキュリティ装置を示した斜視図である。
【図７】第３の実施の形態によるホームセキュリティ装置を示した斜視図である。
【図８】第４の実施の形態によるホームセキュリティ装置を示した斜視図である。
【図９】第５の実施の形態によるホームセキュリティ装置を示した斜視図である。
【図１０】図９に開示するホームセキュリティ装置の断面構造を示した説明図である。
【図１１】第６の実施の形態によるホームセキュリティ装置の構造を示した説明図である。
【図１２】第７の実施の形態によるホームセキュリティ装置の構造を示した説明図である。
【図１３】第８の実施の形態によるホームセキュリティ装置の断面構造を示した説明図である。
【図１４】第９の実施の形態によるホームセキュリティ装置の構造を示したブロック図である。
【図１５】第９の実施の形態によるホームセキュリティ装置の外観を示した斜視図である。
【図１６】第９の実施の形態によるホームセキュリティ装置の断面構造を示した説明図である。
【発明を実施するための形態】
【実施例】
【００２５】
この発明によるセキュリティ装置の特徴が理解できるように、具体的な実施例を挙げ、図面を参照にして詳述する。この発明によるスマートタイプのホームセキュリティ装置は、図１から図４に開示するように、家庭用の照明器具に取り付けて使用するセキュリティ装置１を含んでなる。図１においてＡと表示した領域内に開示するように、ＬＥＤランプ１０を具え、ＬＥＤランプ１０はＡ´の領域に開示するように一般によく見られるねじ込み式で取り付ける構造を有する。また、この発明におけるＬＥＤランプ１０は、図面の開示から明らかなように、一般の家庭における照明の用途に用いるものであって、暖色系の単色ＬＥＤランプか、冷色系の単色ＬＥＤランプか、もしくは暖色系と冷色系とを混合させて構成させたものであってもよく、メイン制御ボード１１から調整のコマンドを受けて異なる色温度を混合し、異なる情況に対応した調整を行なう機能を有する。また、メイン制御ボード１１によって室内環境における光線の調整を行ない、ブラインドを開閉し、又は外部接続形式で入力されるコマンドによって制御することもでき、異なるユーザーに対応させて、もしくは好みに応じて保存し、応用することができる。例えば、スマートフォンと組み合わせ、モバイルアプリケーション（ｍｏｂｉｌｅ  ａｐｐｌｉｃａｔｉｏｎ、ＡＰＰと略称する）によって変化を加えてムードのある照明としたり、特別な記念日又は祝日に全体の雰囲気をリラックスできるものとしたりするなどの変化を加えることができる。
【００２６】
セキュリティ装置１の内部には、主に少なくとも１枚のメイン制御ボード１１と、通信モジュール１３と、検知モジュール１４と、及び表示モジュール１５とを設ける。
【００２７】
メイン制御ボード１１は、電気的に接続する関連モジュールが得たデータを処理する。また、メイン制御ボード１１にはターゲット２を認識する撮像用の撮像モジュール１２が電気的に接続する。撮像モジュール１２は、図２においてＢと表示した領域に示すように、少なくともダブルレンズ１２１によって構成するか、もしくは、図においてＣと表示する領域に示すように魚眼レンズ１２２によって構成するものに代えてもよい。これらレンズは、監視範囲を最大化して関連する機能を確保し、正常な運用を確保するために、撮像モジュール１２には撮影データの保存に供するメモリカードスロット１２３が接続する。また、図３のＢ´と表示した領域及び図４のＣ´と表示した領域に開示するように、視角を１８０°より大きいか等しくし（これを固定数値として限定しない。というのも通常魚眼レンズでは、実際のニーズに応じて視角を２２０°前後とするためである）、又はダブルレンズ１２１によって３６０°の視角を構成し、死角のない全景監視の目的を達成する。
【００２８】
通信モジュール１３はセキュリティ装置１内に設け、かつメイン制御ボード１１に電気的に接続する。また、通信モジュール１３は赤外線制御モジュール１３１を含むとともに、マイクロフォン１３１１とスピーカー１３１２とを内設して音声を受信し、かつ効果音を発してボイスコントロールの目的を達成する。即ち、受信した音声を信号に変換し、赤外線送受信器１３１３によってコマンドをそれぞれの家電３に伝送して制御の目的を達成する。また、音声識別モジュール１３３を具え、音声識別モジュール１３３は、ターゲット２の音声を受信してコマンドに変換し、メイン制御ボード１１及び赤外線制御モジュール１３１に伝送する。さらに無線制御モジュール１３２を具え、無線制御モジュール１３２は、例えばＷＩＦＩ（登録商標）か、ブルートゥース（Ｂｌｕｅｔｏｏｔｈ、《登録商標》）か、Ｚ−ＷＡＶＥ（登録商標）か、ＺｉｇＢｅｅ（登録商標）か、もしくはその他関連する無線通信技術を用いて、複数の家電３にリンクするか、もしくはモバイルタイプのスマートデバイス（例えばタブレットＰＣ、スマートフォン、ハンドヘルド及びウェアラブルデバイスなど）、コンピュータ（パーソナルコンピュータ《Ｐｅｒｓｏｎａｌ  Ｃｏｍｐｕｔｅｒ、ＰＣと略称する》、車載インフォテインメント（Ｉｎ−Ｖｅｈｉｃｌｅ  Ｉｎｆｏｔａｉｎｍｅｎｔ  Ｓｙｓｔｅｍ、ＩＶＩと略称する）などにリンクする。通信モジュール１３を介してリモートコントロールシステムの管理を行なうか、又は家電３を制御する。上述する家電３が比較的古い型であったとしても、無線リンク機能を具える電源延長コード、又はコンセントを用いてリンクすることができる。係る設計は市場でよく見かけるものであるので、ここでは詳述しない。
【００２９】
赤外線制御モジュール１３１、音声認識モジュール１３３、及び無線制御モジュール１３２は、例えば以下に述べるように、異なる組み合わせによって各種家電３をリモートコントロールする。
【００３０】
１、通信モジュール１３が、セキュリティ装置１外からのリターンされたコマンドを受信すると、メイン制御ボード１１を介して赤外線制御モジュール１３１に直接伝送し、赤外線送受信器１３１３によって直接各家電３を制御する。又は、通信モジュール１３を介してセキュリティ装置１外からのリターンされたコマンドを受信すると、メイン制御ボード１１が、ディジタルシグナルプロセッサ（Ｄｉｇｉｔａｌ  Ｓｉｇｎａｌ  Ｐｒｏｃｅｓｓｏｒ、ＤＳＰと略称する）を介して音声識別モジュール１３３の受信できるコマンドに変換し、該コマンドを赤外線制御モジュール１３１に伝送する。後続の動作は家電３の制御に至るまで前述のステップと同様である。
【００３１】
２、マイクロフォン１３１１によって音声を受信し、ディジタルシグナルプロセッサを介して音声識別モジュール１３３の受信できるコマンドに変換し、該コマンドを赤外線制御モジュール１３１に伝送する。後続の動作は家電３の制御に至るまで前述のステップと同様である。
【００３２】
３、検知モジュール１４が検知してリターンしたコマンドをメイン制御ボード１１によって受信し、赤外線制御モジュール１３１から赤外線送受信器１３１３を介して各家電３を作動させる。但し、係る応用は上述の組合せ方式に限定しない。その主な特徴は、受信したコマンドを変換し、セキュリティ装置１に配設した複数の赤外線送受信器１３１３によって、周辺の各種家電を駆動して範囲の拡張を受信達成し、死角をなくすという優位性を得ることにある。
【００３３】
検知モジュール１４は、セキュリティ装置１に内設され、かつメイン制御ボード１１に電気的に接続する。また、検知モジュール１４は、マイクロ波をターゲット２に放射してターゲット２に関する血圧データを得るマイクロ波測定モジュール１４１と、マイクロ波をターゲット２に放射してターゲット２の動悸、心拍、呼吸、脈拍の内の任意の一、又は複数を含む生理的シグナルを導出する生体認識モジュール１４２と、及び家庭内の給水設備（例えば給水塔、水槽、蛇口など）に取り付けて固定する溶存酸素センサーか、もしくはその他類似する機能を具える水質センサーであって、水質のデータが一般の飲用水の基準に適合しているか検知し、また係る検知によって検知対象の水の鉛含有の有無、汚染の有無、細菌数が基準値を超えているか否か、をも検知する水質検知モジュール１４３と、を具える。水質検知モジュール１４３は、外部接続のデバイスか、もしくは内蔵形式であってもよく、その形式は特に制限しない。上述するマイクロ波測定モジュール１４１と生体認識モジュール１４２とは、データをメイン制御板１１にリターンし、例えばテレビ、クーラー、照明器具などの関連する家電３か、又はその他家電製品を自動的に作動させる。また、異なるユーザーによって専用のパーソナリティモードを構築して、異なる家電３を起動するという目的を達成してもよい。
【００３４】
表示モジュール１５は、ターゲット血圧表示ランプ１５１と、ターゲット生理的シグナル表示ランプ１５２と、水質表示ランプ１５３と、湿度表示ランプ１５４と、煙霧気体表示ランプ１５５と、空気品質表示ランプ１５６と、ターゲット体温表示ランプ１５７と、ＩＰ設定表示ランプ１５８とを具え、これら表示ランプは、いずれもセキュリティ装置１に内設し、かつメイン制御ボード１１に電気的に接続して、音声、またはランプの点滅による表示を行なう。ＩＰ設定表示ランプ１５８を除いては、いずれも操作の進行を表示する表示ランプである。セキュリティ装置１は検知モジュール１４によって、ターゲット２対してリモートコントロールを行ない、メイン制御ボード１１は検知モジュール１４が得たターゲット２の詳細な情報の確立が可能となる。このためメイン制御ボード１１は通信モジュール１３によるリンクを以って異なるターゲット２の後続の処理を伝達することができる。
【００３５】
図５に開示するように、セキュリティ装置１は、主にＣＰＵ１１１を設けてなるメイン制御ボード１１によってそれぞれのモジュールが得た情報を処理する。ターゲット２は、環境内に存在する人（幼児、成人、老人）であるか、もしくはペットである。
【００３６】
マイクロ波測定モジュール１４１ついて詳述すると、ターゲット２の複数のトレースポイントにマイクロ波を放射し、かつトレースポイントからの反射から律動する周波数をピックアップする。該マイクロ波は、例えばマイクロパワーインパルスレーダ（Ｍｉｃｒｏｐｏｗｅｒ  Ｉｍｐｕｌｓｅ  Ｒａｄａｒ、ＭＩＲと略称する）か、反射光放射か、放射パルスか、もしくはこれら３種類の内の任意の２種類を交互にミックスして用いるものである。また、撮像モジュール１２によって得たターゲット２の映像を交差させ比較することで映像を分析してビデオシーケンス（Ｖｉｄｅｏ  Ｓｅｑｕｅｎｃｅ）と、空間分解（Ｓｐａｔｉａｌ  Ｄｅｃｏｍｐｏｓｔｉｏｎ）と、及び時空間フィルタリング（Ｔｅｍｐｏｒａｌ  Ｆｉｌｔｅｒｉｎｇ）とを行ない、分析において発生するＳＮ比を利用してターゲット２の血圧を判断する。このためターゲット２と直接接触しなくとも高い精度のデータが得られる。また、映像を何秒か連続して分解して前後のギャップの比を比較することで、年長者が躓いて倒れることを予防できる。
【００３７】
生体認識モジュール１４２について詳述すると、一般的に見れば通常はドップラー・レーダー（Ｄｏｐｐｌｅｒ  ｒａｄａｒ）を応用し、呼吸信号内の高周波数帯の移動信号によって認識を行なう。呼吸信号を検知し、かつ移動信号に基づいてターゲット２が固定された時間上を移動することが判明した場合、ターゲット２に異状があるものと判断する。よって、定在波分析を利用することで検知する距離を拡張することができ、異状の検知を高精度で行なうことができる。而も検知によって得た情報をメイン制御ボード１１にリターンし、パーソナル・ヘルス・レコード（Ｐｅｒｓｏｎａｌ  Ｈｅａｌｔｈ  Ｒｅｃｏｒｄ、ＰＨＤと略称する）内に保存する。異状が発生した場合は、映像と検知した情報とを病院に伝送しスマートメディカルホーム（Ｓｍａｒｔ  Ｍｅｄｉｃａｌ  Ｈｏｍｅ、ＳＭＨと略称する）と遠隔医療（Ｔｅｌｅｍｅｄｉｃｉｎｅ）とを行なう。通常においては遠隔方式で家族の内の老人や幼児の監視を行なうこともできる。然しながら、上述するように、振幅の頻度によってデータを得るのであれば、ベルヌーイ方式のみに基づき、かつドップラー・レーダーのみによって情報を構築するしかない。よって、正確性と適用性においてある程度の制限を受ける。このため、この発明においては振幅の頻度に対応する波の伝送速度と、及び転送する波と頻度の密度とを利用して、生体認証データの精度を高めるための補助とする。而も、生体認識モジュール１４２は材質の影響を受けることなくセキュリティ装置１の内部に隠蔽して設置することができる。よって、デザイン全体の外観を好ましいものにすることができる。但し、生体認識モジュール１４２の利用方式は、上述の内の一種に限定することなく、上述するデータの取得方法から少なくとも二種類以上を選択し、これらを組み合わせて実施する。
【００３８】
水質検知モジュール１４３について詳述すると、通常は総溶解固形分（Ｔｏｔａｌ  Ｄｉｓｓｏｌｖｅｄ  Ｓｏｌｉｄｓ、ＴＤＳと略称する）であって、一般に酸素が水に溶解する場合、その溶解度は温度、水面の沿う圧力、及び水中に溶解する固形物質の全体量によって決まる。大気圧が高ければ高いほど水中の溶解能力も大きくなる。材質として金、又は白金が常用される電極に、銀製のカウンター電極を組み合わせ、両電極の間に隔膜を設けて被覆し、電解質と検知する液体とを分離することで容存酸素検知手段を保護し、電解質の漏出を防ぐとともに、外部からの物質の侵入をも防ぐ。電極とカウンター電極との両者に電圧を印加し、かつ電子と酸素分子の比率によって水質の安全性を監視する。ここからさらに無線制御モジュール１３２によって検知の結果をメイン制御ボード１１に伝送し、水質監視の目的を達成する。また、フィルタープログラムか、又は同様の機能を達成する装置を補助的に加えることで、さらに安全な水質の監視を達成することができる。上述する検知方式は、電気伝導率（Ｅｌｅｃｔｒｉｃａｌ  Ｃｏｎｄｕｃｋｉｖｉｔｙ、ＥＣと略称する）を利用して監視を達成してもよい。
【００３９】
マイクロ波測定モジュール１４１と生体認識モジュール１４２とによる判定の結果、ターゲット２が休息状態にあると判断した場合、メイン制御ボード１１は、撮像モジュール１２による撮像を暫時中断するが、検知動作は作動を維持する。よって、ユーザーのプライバシーが外部に漏れる恐れがなくなる。ターゲット２に異状が発生したことを検知した場合は、撮像モジュール１２を再起動し、撮像（静止画像か、又は録画）を行ない、緊急連絡先か、介護者か、システムに予め設定した病院か、もしくは救急医療機構などに伝送する。これら伝送する連絡情報は、ユーザーの実際の状況に応じて増減させ、上限を設けない。但し、ユーザーの身体各項情報については、知能低下障害などの情況があれば、やはり補助として通信モジュール１３にリンクするウェアラブルデバイスを装着し、持続的な行動の追跡、監視の目的を達成することを薦める。
【００４０】
また、検知モジュール１４は、前述するマイクロ波測定モジュール１４１と生体認識モジュール１４２と水質検知モジュール１４３以外に、温湿度検知モジュール１４４と、煙霧検知モジュール１４５と、気体検知モジュール１４６と、空気検知モジュール１４７と、体温検知モジュール１４８とをさらに含む。
【００４１】
温湿度検知モジュール１４４は、使用環境における温湿度の状況をメイン制御ボード１１に伝送し、正常な状態においてはコマンドを伝送して温湿度表示ランプ１５４を作動させ点灯による表示を行ない、例えば湿度が予め設定した標準値を超えた場合は関連する家電３を作動させて除湿を行なう。
【００４２】
煙霧検知モジュール１４５は、使用環境の煙霧を検知し、検知の結果が標準値を超えた場合、通信モジュール１３内の無線制御モジュール１３２を介して関連する情報を無線装置に伝送し、且つスピーカー１３１２とアンプによってアラームを発する。同時に煙霧気体表示ランプ１５５を起動させ、点灯か点滅させることで表示する。検知の結果、使用環境が危険レベルに至れば、関連する検知データと映像とを消防署に伝送し、後続の処理に利するよう供する。
【００４３】
気体検知モジュール１４６は、主にセキュリティ装置１外部の有害な気体を検知し、煙霧気体表示ランプ１５５によって警告表示する。
【００４４】
空気検知モジュール１４７は、主に空気内の浮遊粒子状物質に対して検知と監視とを行ない、接続する空気品質表示ランプ１５６は、異なる色によって目下の空気の品質を表示する。一般的な正常の状態であれば青色で表示し、中等であれば黄色で表示し、空気の品質が最もひどくなれば赤色で表示するとともに、例えばエア・コンディショナーを作動させるなど、空気の品質に基づいて対応する関連家電３にリンクして作動させる。
【００４５】
体温検知モジュール１４８は、主に家庭を構成するメンバー個人の体温を検知し、接続するターゲット体温表示ランプ１５７によって表示する。正常値においては青色で表示し、予め内部に設定された設定値より高くなった場合は、通信モジュール１３を介して警告を行なう。また、上述する検知モジュール１４が異状を検知すると、システムに予め設定されたユーザーのモバイルデバイスに即刻情報を伝達し、詳細な現場のデータを表示する。このためホーム内の環境に対して完璧な監視制御を達成することができる。
【００４６】
図６から図８に、この発明の第２から第８の実施例を開示する。これら実施例の内容は、上述する第１の実施例に簡易な変更を加えた構造であって、主に撮像モジュール１２と、検知モジュール１４と、表示モジュール１５と、及びそれぞれのＬＥＤランプ１０について、それぞれのモジュールの本来の設置の簡易な変更を加えて構成される。その目的と機能は、図５に開示する作動のプロセスを示したブロック図の内容に近似、調整して異なるランプセット上に設けただけである。また、図１１から図１３に開示するように、埋込みランプ、蛍光灯フラットパネルタイプ、もしくは壁掛けライトなどと、その応用範囲は幅広く、制限を受けることはない。よって、構造に関する詳述は割愛する。また、照明の機能を有することから、ＬＥＤランプ１０が照明を行なえば、やはり微小の熱エネルギーが発生する。このためＬＥＤランプ１０と検知モジュール１４との両者の間に隔壁を設けて、検知モジュール１４が正常な作動を維持できるようにする。
【００４７】
図１４から図１６に、この発明の第９の実施例を開示する。第９の実施例においては、セキュリティ装置１に内設されデータ処理を行なうメイン制御ボード１１を含んでなり、メイン制御ボード１１にはターゲット２を認識する撮像モジュール１２が電気的に接続する。また、別途検知モジュール１４がセキュリティ装置１に内設され、検知モジュール１４は、マイクロ波を放射してターゲット２の血圧を測定するマイクロ波測定モジュール１４１と、マイクロ波を放射してターゲット２から関連する生体信号（動悸、心拍、呼吸、脈拍などのデータ）を得る生体認識モジュール１４２と、及び家庭用の給水設備に設けて使用し、取り付けて固定する溶存酸素センサーか、もしくはその他類似する機能を具える水質センサーであって、水質のデータが一般の飲用水の基準に適合しているか検知し、また係る検知によって検知対象の水の鉛含有の有無、汚染の有無、細菌数が基準値を超えているか否か、をも検知する水質検知モジュール１４３を含む。さらに別途表示モジュール１５と通信モジュール１３とを具え、表示モジュール１５は、図１１のブロック図から明らかなように、異なる検知モジュールにそれぞれ対応して、それぞれ対応するアラーム表示を行なう複数の表示ランプを具える。通信モジュール１３は赤外線制御モジュール１３１と無線制御モジュールとを含み、マイクロフォン１３１１とディジタルシグナルプロセッサ（Ｄｉｇｉｔａｌ  Ｓｉｇｎａｌ  Ｐｒｏｃｅｓｓｏｒ、ＤＳＰと略称する）と、赤外線送受信器１３１３とを具え、ターゲット２が口述するコマンドをセキュリティ装置１の対応できるコマンドに変換するとともに、セキュリティ装置１上に配設された複数の赤外線送受信器１３１３によって死角のない周辺の関連する家電３の起動を達成する。
【００４８】
上述する第９の実施例から明らかなように、セキュリティ装置１に照明用のＬＥＤランプ１０を設けず、セキュリティ装置１を家庭内の装飾とするようデザインし、その存在感を低下させることもできる。同時に、死角のない監視制御を行ない、かつボイスコントロールで周辺の家電を制御する。このため、家庭における便利な生活を容易に達成することができる。
【００４９】
この発明によるスマートタイプのホームセキュリティ装置は、内設するセキュリティ装置１及び赤外線制御モジュール１３１が実際には異なった使用、様式で製造され、係る異なった仕様、様式に基づいて別々にするか、又は１つ、或いは１以上を組合せて構成する。しかも、検知モジュール１４内の７種類の関連するモジュールは、生産上の必要に応じて増減することができ、固定的な種類のものに制限しない。
【００５０】
以上をまとめると、この発明によるスマートタイプのホームセキュリティ装置は、多種類の検知モジュール１４を内設することで検知の精度を大幅に高め、かつメイン制御ボード１によってそれぞれのターゲットのデータを処理し、さらに通信モジュール１３と世界各国の異なるブランドの家電製品と組み合わせて一系列の連動を構築し、応用することができる。また、ＣＰＵ１１１を内設することで統一して処理を行なう。よって、ウェアラブルタイプの検知装置を余計に用いる必要がなく、正確な検知を行なうことができる。また、個人専用のデータを保存してスマートホーム（Ｓｍａｒｔ  Ｈｏｍｅ）として応用することで、応用上さらに豊富な実用性が得られる。
【００５１】
以上は、この発明の好ましい実施の形態を表わしたものであって、この発明の実施の範囲を限定するものではない。よって、この発明の精神の下においてなされ、この発明に対して均等の効果を有する変更などはいずれもこの発明の特許請求の範囲に含まれるものとする。即ち、この発明の特許請求の範囲に基づいてなされ、かつこの発明に対して均等の効果を有する変更、修正などは、いずれもこの発明の特徴を失うものではなく、この発明の精神と、この発明の特許請求の範囲とを離れるものではなく、この発明を更に一歩進めて行った実施の形態であると見做す。
【符号の説明】
【００５２】
１        セキュリティ装置
１０      ＬＥＤランプ
１１      メイン制御ボード
１１１    ＣＰＵ
１２      撮像モジュール
１２１    ダブルレンズ
１２２    魚眼レンズ
１２３    メモリカードスロット
１３      通信モジュール
１３１    赤外線制御モジュール
１３１１  マイクロフォン
１３１２  スピーカー
１３１３  赤外線送受信機
１３２    無線制御モジュール
１３３    音声識別モジュール
１４      検知モジュール
１４１    マイクロ波測定モジュール
１４２    生体認識モジュール
１４３    水質検知モジュール
１４４    温湿度検知モジュール
１４５    煙霧検知モジュール
１４６    気体検知モジュール
１４７    空気検知モジュール
１４８    体温検知モジュール
１５      表示モジュール
１５１    ターゲット血圧表示ランプ
１５２    ターゲット生理的シグナル表示ランプ
１５３    水質表示ランプ
１５４    温湿度表示ランプ
１５５    煙霧気体表示ランプ
１５６    空気品質表示ランプ
１５７    ターゲット体温表示ランプ
１５８    ＩＰ設定表示ランプ
２        ターゲット
３        家電
【図１】
2019531566.tif 000003
【図２】
2019531566.tif 000004
【図３】
2019531566.tif 000005
【図４】
2019531566.tif 000006
【図５】
2019531566.tif 000007
【図６】
2019531566.tif 000008
【図７】
2019531566.tif 000009
【図８】
2019531566.tif 000010
【図９】
2019531566.tif 000011
【図１０】
2019531566.tif 000012
【図１１】
2019531566.tif 000013
【図１２】
2019531566.tif 000014
【図１３】
2019531566.tif 000015
【図１４】
2019531566.tif 000016
【図１５】
2019531566.tif 000017
【図１６】
2019531566.tif 000018
【国際調査報告】
2019531566.tif 000019
2019531566.tif 000020
2019531566.tif 000021
2019531566.tif 000022